(57)【要約】【課題】画像形成装置の用紙案内装置において、用紙の案内部材として用いるリブが、その痕跡を残すことなく、スムーズに用紙を案内できるようにする。【解決手段】画像形成装置１において、画像定着後の用紙Ｐは用紙搬送路１４より排紙部１５に排出され、スタックされる。用紙搬送路１４の入口の部分には用紙案内装置２０を設ける。用紙案内装置２０は、動力回転する搬送ローラ３０と、案内ローラ４０と、可動リブ４１と、案内ローラ４０と可動リブを支持する浮動シャフト４２とを備える。案内ローラ４０と可動リブ４１は固定リブ２２の間から用紙搬送路１４に出没する。浮動シャフト４２は、付勢手段５０により、案内ローラ４０が搬送ローラ３０に圧接する方向に付勢されている。搬送ローラ３０の直径の増減があったときは、案内ローラ４０と可動リブ４１は付勢手段５０に抗してその位置を変える。【選択図】      図２
2004345746.tif 000002
【特許請求の範囲】
【請求項１】
次の構成を備えることを特徴とする画像形成装置の用紙案内装置：
（ａ）画像形成装置内部に形成された用紙搬送路
（ｂ）前記用紙搬送路内に設けられた搬送ローラ
（ｃ）前記用紙搬送路を通過する用紙を、前記搬送ローラと協働して案内する案内ローラ
（ｄ）前記用紙搬送路を通過する用紙を案内する可動リブ
（ｅ）前記案内ローラ及び可動リブを支持し、前記搬送ローラの外周面の位置に応じて位置を変える浮動シャフト。
【請求項２】
前記案内ローラを前記搬送ローラに圧接させる方向に前記浮動シャフトを付勢手段で付勢することを特徴とする請求項１に記載の画像形成装置の用紙案内装置。
【請求項３】
前記搬送ローラは紙幅方向に間隔を置いて複数個配置され、これら複数個の搬送ローラのそれぞれに前記案内ローラを組み合わせるとともに、前記可動リブは隣り合った案内ローラの間に支持されていることを特徴とする請求項２に記載の画像形成装置の用紙案内装置。
【請求項４】
可動リブとこれを挟む２個の案内ローラ、及びこれらを串刺しにするシャフトを１単位として構成したことを特徴とする請求項３に記載の画像形成装置の用紙案内装置。
【請求項５】
用紙搬送方向と直交する方向に複数の固定リブが並び、この固定リブの間から前記案内ローラ及び可動リブが前記用紙搬送路内に出没することを特徴とする請求項３又は請求項４に記載の画像形成装置の用紙案内装置。
【請求項６】
前記浮動シャフトの付勢手段は隣り合った案内ローラの間に配置されていることを特徴とする請求項４に記載の画像形成装置の用紙案内装置。
【請求項７】
前記可動リブと浮動シャフトとはスラスト方向への相対移動が不能又は困難な結合態様で結合されており、この可動リブと浮動シャフトの結合体のスラスト移動が前記固定リブによって制限されることを特徴とする請求項５に記載の画像形成装置の用紙案内装置。
【請求項８】
前記用紙搬送路は前記浮動シャフトの軸線と直角な面内でカーブしており、そのカーブの曲率中心側に前記浮動シャフトが配置されていることを特徴とする請求項１〜請求項７のいずれかに記載の画像形成装置の用紙案内装置。
【発明の詳細な説明】
【０００１】
【発明の属する技術分野】
本発明は画像形成装置の用紙案内装置に関する。
【０００２】
【従来の技術】
ＰＰＣ（Ｐｌａｉｎ  Ｐａｐｅｒ  Ｃｏｐｉｅｒ）、ファクシミリ、プリンタなどの画像形成装置においては、用紙搬送路に用紙送り用の搬送ローラが配置されている。また、用紙搬送路のカーブに沿って用紙がスムーズに移動するのを助けたり、用紙が搬送ローラに接触するのを助けたりする目的で、案内ローラ（コロ）やリブが配置されている。搬送ローラと案内ローラの例は特許文献１、２に見ることができる。リブの例は特許文献２に見ることができる。
【０００３】
【特許文献１】
特開平１０−１９８２０７号公報
【特許文献２】
実開昭６２−１２０７５５号公報
【０００４】
【発明が解決しようとする課題】
動力回転する搬送ローラは、用紙に接触しているうちに摩耗して直径が小さくなる。逆に、トナーや紙粉が付着して直径が大きくなることもある。このように搬送ローラの直径が変動すると、搬送ローラと案内ローラの間のニップの位置が変わる。ニップの位置が変わると、ニップとその前後の用紙搬送路との間に段差が生じる、あるいは用紙搬送軌道からニップがずれるといった問題が発生する。
【０００５】
通常の場合、搬送ローラは１箇所に１個しか配置されないということはなく、紙幅方向に間隔を置いて複数個配置される。これら複数個のローラの直径変化の度合いは一様でない。例えば、用紙の通過頻度の高い位置に置かれた搬送ローラは摩耗しやすいし、画像形成面の接触頻度の高い搬送ローラはトナーが付着しやすい。紙粉の付着しやすさ又は付着しにくさもローラの位置によってまちまちである。このような理由により、横並びになった搬送ローラ同士の間に必然的に直径差が生じる。搬送ローラ同士の間に直径差が生じると、これに接触している案内ローラの支持シャフトに傾きが生じる。支持シャフトに傾きが生じると、これに可動リブを取り付けている場合など、幅の狭い紙の先端が可動リブや支持シャフトにひっかかり、先端折れを生じたりすることがある。
【０００６】
また用紙搬送路がカーブし、そのカーブの曲率中心側に画像形成面を向けて用紙が搬送される場合、ニップがカーブの曲率中心側にずれると、曲率中心側に存在するリブに画像形成面が強く擦られ、より重度のリブ跡が残ることになる。
【０００７】
本発明は上記の点に鑑みてなされたものであり、画像形成装置の用紙案内装置において、搬送ローラに直径の増減が生じたとしても、リブ跡を残すことなくスムーズに用紙を案内できるようにすることを目的とする。
【０００８】
【課題を解決するための手段】
（１）本発明に係る画像形成装置の用紙案内装置は次の構成を備える：
（ａ）画像形成装置内部に形成された用紙搬送路
（ｂ）前記用紙搬送路内に設けられた搬送ローラ
（ｃ）前記用紙搬送路を通過する用紙を、前記搬送ローラと協働して案内する案内ローラ
（ｄ）前記用紙搬送路を通過する用紙を案内する可動リブ
（ｅ）前記案内ローラ及び可動リブを支持し、前記搬送ローラの外周面の位置に応じて位置を変える浮動シャフト。
【０００９】
この構成によれば、案内ローラと可動リブとを同じ浮動シャフトに配置したので、案内ローラと可動リブの相対位置が変わらず、可動リブは案内ローラに対し常に一定の案内面を提供できる。このため、搬送ローラの摩耗による直径減、あるいはトナーや紙粉の付着による直径増があって搬送ローラと案内ローラの間のニップの位置が変わり、ニップとその前後の用紙搬送路との間の段差、あるいはニップの用紙搬送軌道からのずれといった問題が発生したとしても、可動リブがニップに対し適正な位置関係を保つため、用紙にリブ跡が残るといった事態を避けることができる。また、用紙搬送路がカーブし、そのカーブの曲率中心側に画像形成面を向けて用紙が搬送される場合であっても、ニップがカーブの曲率中心側にずれるときは可動リブも曲率中心側にずれ、画像形成面に重度のリブ跡が残ることはない。
【００１０】
（２）上記のような用紙案内装置において、前記案内ローラを前記搬送ローラに圧接させる方向に前記浮動シャフトを付勢手段で付勢するものとした。
【００１１】
この構成によれば、案内ローラと搬送ローラが付勢手段の与える所定の圧力をもって用紙を挟むので、用紙を確実に搬送することができる。
【００１２】
（３）上記のような用紙案内装置において、前記搬送ローラは紙幅方向に間隔を置いて複数個配置され、これら複数個の搬送ローラのそれぞれに前記案内ローラを組み合わせるとともに、前記可動リブは隣り合った案内ローラの間に支持されているものとした。
【００１３】
この構成によれば、搬送ローラと案内ローラの組み合わせが複数個存在することにより、用紙が確実に搬送される。案内ローラのペアが複数個存在すれば可動リブも複数個存在することになり、用紙が確実に案内される。
【００１４】
（４）上記のような用紙案内装置において、可動リブとこれを挟む２個の案内ローラ、及びこれらを串刺しにするシャフトを１単位として構成した。
【００１５】
搬送ローラが複数個横並びになっていると、搬送ローラ同士の間に直径差が生じた場合、案内ローラ及び可動リブを支持している浮動シャフトが傾く。ここで、２個の案内ローラの間に可動リブが配置されていれば、可動リブの高さは隣り合ったニップ位置の中間の高さとなり、用紙はひっかかりを生じることなくスムーズに誘導される。このため、用紙の先端が可動リブや浮動シャフトにひっかかって先端折れが発生したり、画像形成面が強く擦られてリブ跡が残ったりすることが防がれる。
【００１６】
（５）上記のような用紙案内装置において、用紙搬送方向と直交する方向に複数の固定リブが並び、この固定リブの間から前記案内ローラ及び可動リブが前記用紙搬送路内に出没するものとした。
【００１７】
この構成によれば、案内ローラと可動リブが固定リブの中に引っ込んで行くと、途中で用紙が固定リブに当たり、以後、用紙は固定リブで案内される。そのため、用紙搬送軌道が大きくずれることはなく、ジャムの発生が防止される。
【００１８】
（６）上記のような用紙案内装置において、前記浮動シャフトの付勢手段は隣り合った案内ローラの間に配置されているものとした。
【００１９】
付勢手段が案内ローラの外側に配置されていると、それぞれ片持ち梁（カンチレバー）となった浮動シャフトの端を付勢手段が押すことにより、浮動シャフトにしなりが生じ、可動リブが固定リブの間に引っ込むということになりかねない。隣り合った案内ローラの間に付勢手段を配置しておけば、そのような心配はない。
【００２０】
（７）上記のような用紙案内装置において、前記可動リブと浮動シャフトとはスラスト方向への相対移動が不能又は困難な結合態様で結合されており、この可動リブと浮動シャフトの結合体のスラスト移動が前記固定リブによって制限されるものとした。
【００２１】
この構成によれば、可動リブと浮動シャフトの結合体にスラスト荷重が加わったとしても、この結合体はスラスト方向に移動しない。従って、可動リブは常に一定位置で用紙を迎えることができる。用紙の側縁に合わせて可動リブを配置する場合など、用紙のひっかかりを防止するのに、この構成は大きな意味を持つ。
【００２２】
（８）上記のような用紙案内装置において、前記用紙搬送路は前記浮動シャフトの軸線と直角な面内でカーブしており、そのカーブの曲率中心側に前記浮動シャフトが配置されているものとした。
【００２３】
可動リブは浮動シャフトを中心に回動できる。用紙搬送軌道がカーブの曲率中心側にずれた場合でも、その曲率中心側に浮動シャフトがあれば、可動リブは用紙の軌道変化に自身の角度を合わせ、用紙に重度のリブ跡を残すことはない。固定リブの間から可動リブが出没する構成であっても、可動リブの用紙誘導機能が固定リブによる重度のリブ跡を防ぐ。
【００２４】
【発明の実施の形態】
以下、本発明の一実施形態を図１〜４に基づき説明する。図１は画像形成装置の概略構造を示す正面図、図２は用紙案内装置の構成を示す断面図、図３は案内ローラ、可動リブ、浮動シャフト、及び固定リブの配置を示す側面図、図４は図２と同様の断面図にして異なる動作状態を示すものである。
【００２５】
画像形成装置１はプリンタであり、ハウジング１０の内部に画像形成部１１と定着部１２を収容している。給紙部１３から供給された用紙は、画像形成部１１でトナーを転写された後、定着部１２で熱によりトナーを定着され、用紙搬送路１４を通ってハウジング１０の上面の排紙部１５に排出され、スタックされる。
【００２６】
用紙搬送路１４の入口の部分に用紙案内装置２０を配置する。用紙案内装置２０の詳細構造を図２に示す。固定部材である断面形状Ｌ字形のアングル部材２１を、紙面の奥行方向に延びるように配置する。アングル部材２１の下面には、用紙Ｐを案内する固定リブ２２を複数個、紙面の奥行方向に所定間隔で配置する。図２と直角の方向から固定リブ２２を見ると図３のようになる。なお図３には一部の固定リブ２２しか示していない。
【００２７】
アングル部材２１の、定着装置１２の方に向いた側面にも、固定リブ２２と同様の固定リブ２３を配置する。固定リブ２２、２３の下方には、図示しない固定部材に支持された固定リブ２４、２５を配置する。上方の固定リブ２２、２３と、下方の固定リブ２４、２５との間には、用紙搬送路１４の一部となる隙間２６が形成される。隙間２６を出たところに、用紙Ｐを下から支える案内板２７を配置する。
【００２８】
一列に並ぶ固定リブ２４、２５の間に搬送ローラ３０を配置する。搬送ローラ３０は図示しないモータによって回転せしめられ、用紙Ｐに送りを与えるものである。搬送ローラ３０は金属製の駆動シャフト３１の外側にゴム製の摩擦ローラ３２を固定した構造である。摩擦ローラ３２の周面は隙間２６に突き出す。搬送ローラ３０は紙幅方向に所定間隔を置いて複数個配置する。紙幅の中心を境にして対称的に、左右同数ずつのペアとして配置するのがよい。
【００２９】
固定リブ２２の間には、搬送ローラ３０に対応する位置に案内ローラ４０を配置する。案内ローラ４０は用紙Ｐを搬送ローラ３０と協働して案内する。
【００３０】
案内ローラ４０には可動リブ４１を組み合わせる。案内ローラ４０と可動リブ４１は共に合成樹脂製である。可動リブ４１はほぼ直角三角形の正面形状を有し、図３に見られるように、２個が１単位として一体成型されている。一体成型する可動リブ４１の数に限定はなく、３個以上であっても構わない。
【００３１】
案内ローラ４０と可動リブ４１は金属製の浮動シャフト４２で串刺しにして１単位とする。全ての案内ローラ４０と可動リブ４１を１本の浮動シャフト４２で串刺しにしたものを１単位としてもよく、あるいは１個の案内ローラ４０の両側に可動リブ４１を配置して１本の浮動シャフト４２で串刺しにしたものを１単位としてもよいが、本実施形態では次の構成を１単位としている。すなわち２個の案内ローラ４０をペアとし、間に可動リブ４１を挟む。これらの案内ローラ４０と可動リブ４１を１本の金属製の浮動シャフト４２で串刺しにして１単位を構成する。
【００３２】
案内ローラ４０のペアに対し可動リブ４１を組み合わせるので、案内ローラ４０のペアが複数個存在すれば可動リブも複数個存在することになり、用紙Ｐは確実に案内される。
【００３３】
案内ローラ４０と浮動シャフト４２のはめ合いはゆるくし、案内ローラ４０が浮動シャフト４２のまわりを自由に回転できるようにする。可動リブ４１と浮動シャフト４２のはめ合いはきつくし、可動リブ４１と浮動シャフト４２の相対回転、及びスラスト方向（浮動シャフト４２の軸線方向）への相対移動を困難又は不能にする。
【００３４】
固定リブ２２のうち、案内ローラ４０と可動リブ４１の間に位置するもの（２２ａの符号を付す）に浮動シャフト４２の支持部が形成される。固定リブ２２ａにはその下縁から垂直なスリット４３を形設し、ここに下の方から浮動シャフト４２を係合させる。浮動シャフト４２はスリット４３に沿って上下動、すなわち浮動可能となる。案内ローラ４０と可動リブ４１は固定リブ２２の間から用紙搬送路１４内に出没する。
【００３５】
浮動シャフト４２の端面は固定リブ２２ａに隣接する固定リブ２２の側面に対面する。可動リブ４１の側面は固定リブ２２ａの側面に対面する。可動リブ４１とこれに対面する固定リブ２２ａとの隙間は浮動シャフト４２とこれに対面する固定リブ２２との隙間より小さい。可動リブ４１と浮動シャフト４２の結合体にスラスト荷重が加わった場合、この結合体のスラスト方向への移動は可動リブ４１が固定リブ２２ａに当たることにより制限される。従って、可動リブ４１は常に一定位置で用紙を迎えることができ、用紙の側縁に合わせて可動リブ４１を配置する場合など、用紙の引っかかりを常に効果的に防止することができる。浮動シャフト４２の端面は固定リブ２２に接触しないので、浮動シャフト４２の端面が固定リブ２２の側面をこすって傷つけ、浮動シャフト４２自身の動きも悪くなるといったこともない。
【００３６】
案内ローラ４０が搬送ローラに圧接する方向に、浮動シャフト４２を付勢手段５０で付勢する。付勢手段５０は、圧縮コイルばねやねじりコイルばねなど、任意のばねをもって構成できる。付勢手段５０は１本の浮動シャフト４２につき２組ずつ設けられ、隣り合った案内ローラ４０の間に、正確に言えば案内ローラ４０と可動リブ４１の間に、配置されている。
【００３７】
付勢手段５０が２個の案内ローラ４０の外側に配置されていると、それぞれ片持ち梁（カンチレバー）となった浮動シャフト４２の端を付勢手段５０が押すことにより、浮動シャフト４２にしなりが生じる可能性がある。浮動シャフト４２がしなれば可動リブ４１が固定リブ２２の間に引っ込む。隣り合った案内ローラ４０の間に付勢手段５０を配置しておけば、そのような事態には至らない。
【００３８】
図１、２に見られるように、用紙搬送路１４は、搬送ローラ３０及び案内ローラ４０の存在する箇所において、浮動シャフト４２の軸線と直角な面内でカーブしている。浮動シャフト４２はそのカーブの曲率中心側に配置されている。
【００３９】
用紙案内装置２０は次のように動作する。定着装置１２を出た用紙Ｐの先端が隙間２６に入り、搬送ローラ３０と案内ローラ４０の間のニップに到達すると、動力回転する搬送ローラ３０及びこれに追随して従動回転する案内ローラ４０により用紙Ｐはニップに引き込まれる。ニップを出た用紙Ｐは案内板２７に接触しつつ、さらに上方の用紙搬送路１４へと送り出されて行く。可動リブ４１は用紙Ｐの先端を搬送ローラ３０と案内ローラ４０の間のニップへと誘導するとともに、ニップを出た用紙Ｐが所定の軌道に沿って進むよう案内する働きをする。この時用紙Ｐは画像形成面側を案内ローラ４０と可動リブ４１の方に、すなわち用紙搬送路１４のカーブの曲率中心側に向けている。
【００４０】
搬送ローラ３０には寸法誤差があり、また組立誤差もある。ゴム製である摩擦ローラ３２は、定着後の用紙Ｐの持つ熱を繰り返し受けているうちに変質し、直径が小さくなることがある。また摩擦ローラ３２の摩耗によっても搬送ローラ３０の直径は小さくなって行く。逆に、トナーや紙粉が付着して搬送ローラ３０の直径が大きくなることもある。このように、搬送ローラ３０の外周面の隙間２６への突き出し量は一定でない。
【００４１】
浮動シャフト４２に支持された案内ローラ４０は、搬送ローラ３０の突き出し量が変動したとしてもこれに追随し、所定のニップを形成する。この時、高さ方向におけるニップの位置は変動する。ニップの位置が変動すると、特に搬送ローラ３０の直径が縮んでニップの位置が下がった場合、用紙Ｐの先端が案内ローラ４０の周面に大角度で当たり、スムーズにニップに入って行かない可能性がある。しかしながら本発明の構成では、ニップの位置が下がっている、すなわち案内ローラ４０の位置が下がっていれば、これにつれて可動リブ４１も下がり、ニップに対し適正な位置を保つので、用紙Ｐの先端は引き続きニップの方へとスムーズに誘導される。
【００４２】
図４は搬送ローラ３０の直径が縮んで（元来の直径を仮想線で示す）案内ローラ４０と可動リブ４１が下がった状態を示している。この状態で、搬送ローラ３０と案内ローラ４０の間のニップを通り抜けた用紙Ｐに張力が働き、可動リブ４１の後端に矢印Ａ方向の力がかかったときは、可動リブ４１は浮動シャフト４２とともに図４において時計方向に回動し、用紙Ｐからのの圧力を逃がす。そのため、用紙Ｐに可動リブ４１がくい込んでリブ跡を残すことがない。
【００４３】
可動リブ４１の回動ばかりでなく、案内ローラ４０又は可動リブ４１が用紙Ｐから受ける圧力に応じ、浮動シャフト４２は付勢手段５０からの付勢力に抗して上昇する。これによっても用紙Ｐからの圧力は軽減される。
【００４４】
このように可動リブ４１には「逃げ」の余地があり、用紙Ｐを押しすぎることがないので、用紙Ｐに可動リブ４１の痕跡が残らない。長期使用により可動リブ４１にトナーが堆積していたとしても、トナーが用紙Ｐに強くこすりつけられて用紙Ｐを汚すといったこともない。
【００４５】
トナーや紙粉の付着により搬送ローラ３０の直径が増加したときは、ニップは用紙搬送路１４のカーブの曲率中心側にずれる。ニップがずれれば可動リブ４１も曲率中心側にずれる。そればかりでなく、曲率中心側に浮動シャフト４２があるため、可動リブ４１は用紙Ｐの軌道変化に自身の角度を合わせ、用紙Ｐに重度のリブ跡を残すことはない。また、可動リブ４１の用紙誘導機能により、固定リブ２２による重度のリブ跡も防がれる。
【００４６】
搬送ローラ３０の直径増大により案内ローラ４０と可動リブ４１が固定リブ２２の中に引っ込んで行くと、途中で用紙Ｐが固定リブ２２に当たり、以後、用紙Ｐは固定リブ２２で案内される。そのため、用紙搬送軌道が大きくずれることはなく、ジャムの発生が防止される。
【００４７】
横並びになっている搬送ローラ３０同士の間に直径差が生じた場合、これらの搬送ローラ３０に接触する２個の案内ローラ４０で支えられている浮動シャフト４２は傾く。可動リブ４１の高さは隣り合ったニップ位置の中間の高さとなり、可動リブ４１の位置は搬送ローラ３０の直径差ほど変動しない。そのため用紙Ｐはひっかかりを生じることなくスムーズに誘導される。従って、用紙Ｐの先端が可動リブ４１や浮動シャフト４２にひっかかって先端折れが発生したり、画像形成面が強く擦られてリブ跡が残ったりすることが防がれる。
【００４８】
浮動シャフト４２の軸線方向における案内ローラ４０の幅と可動リブ４１の幅（複数個の可動リブ４１がなす幅）及び位置設定、あるいはこれらの数は自由に調整できる。異なる規格の用紙に画像形成装置１を適合させる場合、案内ローラ４０、可動リブ４１、及び浮動シャフト４２の組み合わせを調整したり交換したりすれば済むことが多い。
【００４９】
以上、本発明の実施形態につき説明したが、この他、発明の主旨から逸脱しない範囲で種々の改変を加えて実施することができる。
【００５０】
【発明の効果】
本発明によれば、案内ローラと可動リブとを同じ浮動シャフトに配置したので、案内ローラと可動リブの相対位置が変わらず、可動リブは案内ローラに対し常に一定の案内面を提供できる。このため、搬送ローラの摩耗による直径減、あるいはトナーや紙粉の付着による直径増があって搬送ローラと案内ローラの間のニップの位置が変わり、ニップとその前後の用紙搬送路との間の段差、あるいはニップの用紙搬送軌道からのずれといった問題が発生したとしても、可動リブがニップに対し適正な位置関係を保つため、用紙にリブ跡が残るといった事態を避けることができる。
【００５１】
また、可動リブとこれを挟む２個の案内ローラ、及びこれらを串刺しにするシャフトを１単位として構成したので、搬送ローラ同士の間に直径差が生じて浮動シャフトが傾いた場合、可動リブの高さは隣り合ったニップ位置の中間の高さとなり、用紙はひっかかりを生じることなくスムーズに誘導される。このため、用紙の先端が可動リブや浮動シャフトにひっかかって先端折れが発生したり、画像形成面が強く擦られてリブ跡が残ったりすることが防がれる。
【００５２】
さらに、用紙搬送路は浮動シャフトの軸線と直角な面内でカーブしており、そのカーブの曲率中心側に浮動シャフトが配置されているから、カーブの曲率中心側に画像形成面を向けて用紙が搬送される場合、ニップがカーブの曲率中心側にずれるときは可動リブも曲率中心側にずれ、画像形成面に重度のリブ跡が残ることはない。従って用紙をスムーズに、見た目を損なうことなく送ることができる。
【図面の簡単な説明】
【図１】画像形成装置の概略構造を示す正面図
【図２】用紙案内装置の構成を示す断面図
【図３】案内ローラ、可動リブ、浮動シャフト、及び固定リブの配置を示す側面図
【図４】図２と同様の断面図にして異なる動作状態を示すもの
【符号の説明】
１    画像形成装置
１０  ハウジング
１１  画像形成部
１２  定着部
１３  給紙部
１４  用紙搬送路
１５  排紙部
２０  用紙案内装置
２２  固定リブ
３０  搬送ローラ
４０  案内ローラ
４１  可動リブ
４２  浮動シャフト
５０  付勢手段
Ｐ    シート
【図１】
2004345746.tif 000003
【図２】
2004345746.tif 000004
【図３】
2004345746.tif 000005
【図４】
2004345746.tif 000006